(57)【要約】      （修正有）【課題】簡易かつ軽量化が可能な構造であり、加えて、空気抵抗を増大させることなく、よどみ点の移動に対応して防氷性能を得ることができる防氷装置を提供する。【解決手段】湾曲形状をなす航空機の主翼３の内面に加熱空気を吹き付ける防氷装置であって、後端から先端に向けた長手方向に加熱空気が流れる流路１５と、流路１５と外部を連通し、長手方向に沿って設けられ複数の噴出孔１６と、を有するピッコロチューブ１１と、ピッコロチューブに向けて加熱空気を供給するエンジンと、を備え、ピッコロチューブ１１の噴出孔１６が、主翼３に仮想的に形成される外気流よどみ点の上限位置及び下限位置に向けて噴出する、ことを特徴とする。【選択図】図２
2017140965.tif 000002
【特許請求の範囲】
【請求項１】
湾曲形状をなす航空機の翼の内面に加熱空気を吹き付ける防氷装置であって、
後端から先端に向けた長手方向に加熱空気が流れる流路と、前記流路と外部を連通し、前記長手方向に沿って設けられる複数の噴出孔と、を有するピッコロチューブと、
前記ピッコロチューブに向けて前記加熱空気を供給する供給源と、を備え、
前記ピッコロチューブの前記噴出孔は、前記翼に仮想的に形成される外気流よどみ点の上限位置及び下限位置に向けて、前記加熱空気を噴出する、
ことを特徴とする防氷装置。
【請求項２】
前記ピッコロチューブは、
複数の前記噴出孔が直線上に並ぶ噴出孔列が、上下の二列に配置され、
相対的に上側に配置される第一噴出孔列Ｌ１と、
前記第一噴出孔列Ｌ１よりも下側に配置される第二噴出孔列Ｌ２と、を備え、
前記第一噴出孔列Ｌ１は、前記加熱空気を前記上限位置に向けて噴出し、
前記第二噴出孔列Ｌ２は、前記加熱空気を前記下限位置に向けて噴出する、
ことを特徴とする請求項１に記載の防氷装置。
【請求項３】
前記第一噴出孔列Ｌ１と前記第二噴出孔列Ｌ２の中間に、液滴の衝突量が最大となる条件における前記外気流よどみ点が配置される、
ことを特徴とする請求項２に記載の防氷装置。
【請求項４】
前記第一噴出孔列Ｌ１をなす複数の前記噴出孔と前記第二噴出孔列Ｌ２をなす複数の前記噴出孔が、千鳥配列される、
ことを特徴とする請求項２又は請求項３に記載の防氷装置。
【請求項５】
前記ピッコロチューブは、
後端側から先端側に向けて先細りの形状を有し、
前記先端側における、前記第一噴出孔列Ｌ１と前記第二噴出孔列Ｌ２の中心角θｃが、
前記後端側における、前記第一噴出孔列Ｌ１と前記第二噴出孔列Ｌ２の中心角θａより小さい、
ことを特徴とする請求項２〜請求項４のいずれか一項に記載の防氷装置。
【請求項６】
前記ピッコロチューブは、
それぞれの前記噴出孔が、上端開口部から下端開口部に向けて上下方向に延びるスリットからなり、
前記上端開口部から前記加熱空気を前記上限位置に向けて噴出し、
前記下端開口部から前記加熱空気を前記下限位置に向けて噴出する、
ことを特徴とする請求項１に記載の防氷装置。
【請求項７】
請求項１〜請求項５のいずれか一項に記載された防氷装置を備えることを特徴とする、航空機。
【請求項８】
前記防氷装置を備えるのが主翼であることを特徴とする、請求項７に記載の航空機。
【発明の詳細な説明】
【技術分野】
【０００１】
本発明は、航空機の前縁の着氷を防止する防氷装置に関する。
【背景技術】
【０００２】
航空機が飛行する際には、主翼及び尾翼、エアインテーク等の航空機の進行方向の前縁の外面には空気中に存在する過冷却液滴の衝突による着氷が生じる。この着氷現象は、航空機の飛行に様々な悪影響を及ぼす。そのため、特に影響が懸念される箇所には、種々の加熱手段により着氷を防止する防氷装置が装備されている。
【０００３】
その一つとして、タービン・エンジンを装備する航空機では、エンジン圧縮機からの高温・高圧の抽出空気であるブリードエアが加熱源として広く用いられている。この種の防氷装置では、ブリードエアを配管で導き、前縁の内面に吹き付けることで加熱する。この配管として、長手方向にブリードエアを噴出する多数の噴出孔が設けられたピッコロチューブと称される部材が用いられている。このピッコロチューブは、例えば、主翼に設けられる場合には、前縁の近傍に、胴体との接続端の側から先端に向けて翼長方向に沿って配置されている。この方法では、図６（ｂ）に示すように、ブリードエアの吹付点において、高い熱伝達率が得られるため、他の方法に比べて空気供給量を低減でき、燃費の悪化を小さく抑えることができる。
【０００４】
図６（ｂ）において、破線はブリードエアの熱伝達率の分布（ＨＤ）を示し、実線は液滴が衝突する量の分布（ＤＤ）を示している。この図６（ｂ）は、ブリードエアによる熱伝達率がピークを示す吹付点と、液滴の衝突量がピークを示す外気流よどみ点（以下、単によどみ点）Ｐｓと、が一致している。
図６（ｂ）に示すように、熱伝達率はピークを示す吹付点から離れると急に低くなるので、吹付点とそこから離れた位置で温度ムラが生じやすく、ピッコロチューブの噴出孔の位置を適切に決定しないと、加熱不足を招いたり、過熱による前縁構造の損傷を加速させたりする課題がある。そこで、特に厳しい着氷飛行条件に注目し、この条件で液滴衝突量がピークとなるよどみ点に加熱量を集中するように噴出孔を配向する方法が一般に用いられる。ところが、飛行条件、特に航空機の迎角が変化しよどみ点が移動すると、図６（ｃ）に示すように、吹付点、つまり加熱量が集中する点と液滴衝突量ピーク位置とがずれてしまい、加熱が非効率的になる。そのため、防氷に必要な空気量の増大を招いたり、逆に過熱による前縁構造の破損を加速させたりするおそれがある。
なお、図６（ｂ），（ｃ）における上下方向は、航空機が飛行する環境の水平方向を示している。また、図６（ｂ），（ｃ）において、Ｐ１は液滴が衝突する上限位置を示し、Ｐ２は液滴が衝突する下限位置を示している。
【０００５】
そこで、特許文献１は、主翼の前縁構造の内面側を二重構造として熱伝達率を平均化する方法を提案している。また、特許文献２は、前縁構造の外表面の流れを乱流に遷移させることで冷却を促進し、局所的な過熱を防止する手段を提案している。
【先行技術文献】
【特許文献】
【０００６】
【特許文献１】特開２０１１−１８３９２２号公報
【特許文献２】特表２００９−５２３６３７号公報
【発明の概要】
【発明が解決しようとする課題】
【０００７】
ところが、特許文献１による提案は、二重構造とするので構造が複雑であり、重量が増大するのに加えて、必要な加熱部位以外への熱の損失が大きいため、抽出空気量を増大させる必要があり、結果として燃費が悪化するおそれがある。
また、特許文献２による提案は、乱流に遷移させる構造により例えば主翼の空気抵抗が増し、燃費悪化に繋がるおそれがあり、また、前縁の冷却が促進されることから、必要な加熱空気量が増大するおそれがある。
【０００８】
以上より、本発明は、簡易かつ軽量化が可能な構造であり、加えて、空気抵抗を増大させることなく、よどみ点の移動に対応して防氷性能を得ることができる防氷装置を提供することを目的とする。
【課題を解決するための手段】
【０００９】
湾曲形状をなす航空機の翼の内面に加熱空気を吹き付ける本発明の防氷装置は、後端から先端に向けた長手方向に加熱空気が流れる流路と、流路と外部を連通し、長手方向に沿って設けられる複数の噴出孔と、を有するピッコロチューブと、ピッコロチューブに向けて加熱空気を供給する供給源と、を備え、ピッコロチューブの噴出孔は、翼に仮想的に形成される外気流よどみ点の上限位置及び下限位置に向けて、加熱空気を噴出する、ことを特徴とする。
【００１０】
本発明におけるピッコロチューブは、複数の噴出孔が直線上に並ぶ噴出孔列が、上下の二列に配置され、相対的に上側に配置される第一噴出孔列Ｌ１と、第一噴出孔列Ｌ１よりも下側に配置される第二噴出孔列Ｌ２と、を備え、第一噴出孔列Ｌ１は、加熱空気を上限位置に向けて噴出し、第二噴出孔列Ｌ２は、加熱空気を下限位置に向けて噴出する、ことが好ましい。
【００１１】
本発明におけるピッコロチューブは、第一噴出孔列Ｌ１と第二噴出孔列Ｌ２の中間に、液滴の衝突量が最大となる条件における外気流よどみ点が配置される、ことが好ましい。
【００１２】
本発明におけるピッコロチューブは、第一噴出孔列Ｌ１をなす複数の噴出孔と第二噴出孔列Ｌ２をなす複数の噴出孔が、千鳥配列される、ことが好ましい。
【００１３】
本発明におけるピッコロチューブは、後端側から先端側に向けて先細りの形状を有し、先端側における、第一噴出孔列Ｌ１と第二噴出孔列Ｌ２の中心角θｃが、後端側における、第一噴出孔列Ｌ１と第二噴出孔列Ｌ２の中心角θａより小さい、ことが好ましい。
【００１４】
本発明におけるピッコロチューブは、それぞれの噴出孔が、上端開口部から下端開口部に向けて上下方向に延びるスリットからなり、上端開口部から加熱空気を上限位置に向けて噴出し、下端開口部から加熱空気を下限位置に向けて噴出する、ことが好ましい。
【発明の効果】
【００１５】
本発明の防氷装置によれば、外気流よどみ点の上限位置及び下限位置に向けて噴出するので、航空機の姿勢によってよどみ点が上限位置に達したとしても、そこは熱伝達率の一方のピークと一致するか、または、近傍の位置にある。同様に、航空機の姿勢によってよどみ点が下限位置に達したとしても、そこは熱伝達率の他方のピークと一致するか、または、近傍の位置にある。これにより、吹付点の近傍の熱伝達率が高い領域で効率的に水分を蒸発させることができ、防氷に必要なブリードエアの量を削減できるとともに、過熱も抑止できる。
また、液滴衝突量が最大となる位置が、熱伝達率の二つのピークの中間にあるものとすると、液滴の大部分は加熱量の少ない領域に衝突し、液滴の全量は蒸発することができないので、残った水分は前縁の表面に水膜を形成する。この水膜は下流に向けて移動して熱伝達率のピークに達するので、蒸発するとともに過熱を防止することができる。
【図面の簡単な説明】
【００１６】
【図１】本発明の実施形態に係る防氷装置の概略構成を示し、（ａ）は航空機の主翼を含む平面図、（ｂ）は主翼の横断面図である。
【図２】図１のピッコロチューブを示し、（ａ）は平面図、（ｂ）は部分正面図、（ｃ）は上流管の横断面図、（ｄ）は中流管の横断面図、（ｅ）は下流管の横断面図である。
【図３】図１の防氷装置によるブリードエアの熱伝達率分布と液滴衝突量分布の関係を示し、（ａ）はよどみ点が上限位置より所定量だけ下方にあるとき、（ｂ）はよどみ点が中間位置にあるとき、（ｃ）はよどみ点が下限位置より所定量だけ上方にあるとき、を示している。
【図４】図３（ｂ）の位置によどみ点があるときの防氷作用を説明する図である。
【図５】図１のピッコロチューブの変形例を示し、（ａ）は噴出孔が千鳥配列されているピッコロチューブの正面図、（ｂ）は噴出孔が三列に配列されているピッコロチューブの正面図、（ｃ）は噴出孔がスリットとされているピッコロチューブの正面図、（ｄ）は噴出孔が一列に配列されたピッコロチューブを二本配置する例を示している。
【図６】（ａ）は航空機の主翼に液滴が衝突する様子を示す図、（ｂ）は噴出孔が一列に並ぶピッコロチューブにおいて、ブリードエアの吹付点とよどみ点が一致する場合の熱伝達率分布及び液滴衝突量分布を示し、（ｃ）は（ｂ）からよどみ点が移動した後の熱伝達率分布及び液滴衝突量分布を示している。
【発明を実施するための形態】
【００１７】
以下、添付図面を参照しながら、本発明に係る防氷装置の実施形態について説明する。
本実施形態の防氷装置１０は、図１に示すように、航空機の主翼１のスラット３の内部に設けられることで、スラット３の前縁５の外面７への着氷を防止するためのものである。
スラット３は、その外殻が例えばアルミニウム合金、ＣＦＲＰ（Carbon  Fiber  Reinforced  Plastics）やＧＦＲＰ（Glass  Fiber  Reinforced  Plastics）などの繊維強化樹脂からなる翼パネル４によって形成されている。翼パネル４は、図１（ｂ）に示すように、曲げ加工により、翼長方向に沿った前縁５の横断面は、湾曲形状をしている。防氷装置１０は、加熱された空気であるブリードエアを前縁５の内面６に向けて噴出することで、外面７への着氷を防止する。
【００１８】
防氷装置１０は、図１（ａ）に示すように、前縁５にブリードエアを噴出させるピッコロチューブ１１と、ブリードエアの供給源であるエンジン１８と、ピッコロチューブ１１とエンジン１８を繋ぎ、ブリードエアをピッコロチューブ１１に導くエア供給管１９と、を備えている。エンジン１８は、航空機の推力を得るためのものであり、例えば主翼１の下面に取り付けられたジェットエンジンであり、ブリードエアはジェットエンジンの圧縮機から抽出されたものであり、予め冷却されて、適切な温度を有している。
【００１９】
図１（ａ），（ｂ）に示すように、ピッコロチューブ１１は、前縁５の内面６から所定の距離だけ離れた位置に、主翼１の翼長方向に沿って配設されている。
ピッコロチューブ１１は、図２（ａ）に示すように、エア供給管１９に連なる後端側を上流とし、そこから先端側に向けて順に、上流管１２、中流管１３及び下流管１４の三つの部分が配置された先細りのものである。なお、上流、中流及び下流は、これら三つの部分を区別するために用いられる表現であって、三つの部分における相対的な関係を表しているに過ぎない。
【００２０】
上流管１２、中流管１３及び下流管１４は、図２（ｃ）〜（ｅ）に示すように、いずれも中空円筒状の管状の部材からなり、中空部分がブリードエアの流れる流路１５を構成する。
図２（ｂ）に示すように、上流管１２、中流管１３及び下流管１４のそれぞれの内径が異なることで、上流管１２、中流管１３及び下流管１４のそれぞれにおける流路１５の開口面積Ａ１２、Ａ１３及びＡ１４が、ブリードエアの流れる向きに沿って、段階的に狭くなっている。ピッコロチューブ１１は、上流管１２、中流管１３及び下流管１４は、それぞれを別体として用意して、溶接、その他の手段により、接続される。
Ａ１２ ＞ Ａ１３ ＞ Ａ１４
【００２１】
ピッコロチューブ１１は、それぞれが前縁５の内面６に向けて開口し、流路１５と外部を連通する複数の噴出孔１６が形成されている。図２（ａ），（ｂ）に示すように、複数の噴出孔１６が、ピッコロチューブ１１の長手方向に所定の間隔を隔てて並んで形成されている。エア供給管１９からピッコロチューブ１１に流入したブリードエアは、高温かつ高速のジェット噴流として噴出孔１６から前縁５の内面６に向けて噴出される。
【００２２】
本実施形態のピッコロチューブ１１は、図２（ａ），（ｂ）に示すように、長手方向に同一直線上に並ぶ複数の噴出孔１６からなる列が、ピッコロチューブ１１の円周方向に二列に設けられている。このように噴出孔１６を二列にすることで、内面の広範囲にわたってブリードエアが吹き付けられるようにするとともに、一つ当たりの噴出孔１６から噴出させるブリードエアの流量を下げ、熱伝達率が過大となるのを防ぎ、部材の過熱を防ぐことができる。なお、図２（ｂ）に示すように、複数の噴出孔１６からなる列のそれぞれを第一噴出孔列Ｌ１、第二噴出孔列Ｌ２と称することにする。なお、ピッコロチューブ１１の円周方向においては、噴出孔１６が同じ位相に配置されている。
第一噴出孔列Ｌ１及び第二噴出孔列Ｌ２は、図２（ａ），（ｂ）に示すように、上下の二列に配置され、かつ、上流管１２から下流管１４にわたって形成されている。図２（ｃ）に示すように、上流管１２において、相対的に上側に配置される第一噴出孔列Ｌ１と相対的に下側に配置される第二噴出孔列Ｌ２は、中心角θ１２（θａ）だけ開いて設けられている。中流管１３及び下流管１４においても、同様に、中心角θ１３（θｂ）及び中心角θ１４（θｃ）だけ開いて設けられている。したがって、ピッコロチューブ１１は、第一噴出孔列Ｌ１により列をなすブリードエアの吹付点と第二噴出孔列Ｌ２により列をなすブリードエアの吹付点を生成することができる。第一噴出孔列Ｌ１が後述する上限位置の外気流よどみ点（以下、単によどみ点）Ｐ１に向けてブリードエアを噴出し、第二噴出孔列Ｌ２が後述する下限位置の外気流よどみ点（以下、単によどみ点）Ｐ２に向けてブリードエアを噴出する。
【００２３】
ここで、ピッコロチューブ１１は、上流管１２から下流管１４にわたって形成されている第一噴出孔列Ｌ１と第二噴出孔列Ｌ２の中心角が、θ１２、θ１３及びθ１４の順で小さくなる。これは、対応する主翼３の内面６までの距離を考慮するものであり、図２（ａ）に示すように、内面６までの距離が遠いほど中心角を小さくし、逆に、内面６までの距離が遠いほど中心角を大きくすることで、ブリードエアが内面６に到達する位置を揃える。
ただし、以上の関係はあくまで一例であり、本発明はこの位置関係に限るものではない。
【００２４】
本実施形態における複数の噴出孔１６は、第一噴出孔列Ｌ１及び第二噴出孔列Ｌ２の二列に設けられているのに加えて、主翼３の前縁５におけるよどみ点との関係でその位置が特定されている。以下、図３及び図６（ａ），（ｂ）を参照して説明する。
【００２５】
いま、航空機１が飛行しており、図６（ａ）に示すように、そのスラット３の前縁５に液滴Ｄが衝突するものとすると、液滴Ｄの流れ場の中で速度がゼロになる点、つまりよどみ点Ｐｓにおいて、最も液滴の衝突量が多くなる。よどみ点Ｐｓから離れるにつれて液滴Ｄの衝突量は少なくなり、特定の距離だけ離れる衝突上限及び衝突下限から外れると、液滴は衝突しなくなる。このように、主翼３に衝突する液滴Ｄの量はよどみ点を基準にして定まる。なお、よどみ点Ｐｓは、仮想的に形成されるものであり、スラット３の場合には、その断面形状及びそのポジション、そして、航空機の迎角により定まる。
【００２６】
つまり、図６（ａ），（ｂ）は、一例として航空機１が水平に飛行していることを前提にしているが、航空機の姿勢（迎角）が変われば、よどみ点Ｐｓもそれに応じて変化する。もっとも、航空機は特定の迎角の範囲で飛行するので、よどみ点Ｐｓもまた特定の範囲で変位することになり、よどみ点Ｐｓ、それが生ずる最上位の位置、つまり上限位置であるよどみ点Ｐ１とそれが生ずる最下位の位置、つまり下限位置であるよどみ点Ｐ２の範囲を変位する。よどみ点Ｐ１及びよどみ点Ｐ２を図３（ａ）〜（ｃ）に示す。
図３（ａ）は、よどみ点Ｐｓが上限位置であるよどみ点Ｐ１に近づいた状態を示し、図３（ｂ）はよどみ点Ｐｓがよどみ点Ｐ１とよどみ点Ｐ２の中間に置かれた状態を示し、図３（ｃ）はよどみ点Ｐｓが下限位置であるよどみ点Ｐ２に近づいた状態を示している。よどみ点Ｐ１とよどみ点Ｐ２の間の範囲を、よどみ点変位範囲と称する。
【００２７】
本実施形態は、図３（ａ）〜（ｃ）に示すように、第一噴出孔列Ｌ１が上限のよどみ点Ｐ１よりも内側のよどみ点変位範囲に設けられているとともに、第二噴出孔列Ｌ２が下限のよどみ点Ｐ２よりも内側のよどみ点変位範囲に設けられている。
第一噴出孔列Ｌ１及び第二噴出孔列Ｌ２から噴出されるブリードエアによる熱伝達率の分布は、図３（ａ）〜（ｃ）に示すように、ピークＨ１及びピークＨ２と二つのピークを持ち、かつ、ピークＨ１はよどみ点Ｐ１よりも微小距離だけ内側に配置され、また、ピークＨ２はよどみ点Ｐ２よりも微小距離だけ内側に設けられる。
【００２８】
［効  果］
本実施形態の防氷装置１０は、第一噴出孔列Ｌ１、つまりピークＨ１とよどみ点Ｐ１の位置関係、及び、第二噴出孔列Ｌ２、つまりピークＨ２とよどみ点Ｐ２の位置関係が上述の関係を有している。したがって、仮に、航空機の姿勢によってよどみ点Ｐｓが上限位置であるよどみ点Ｐ１に達したとしても、図３（ａ）に示すように、よどみ点Ｐ１は熱伝達率のピークＨ１と一致するか、または、近傍の位置にある。同様に、航空機の姿勢によってよどみ点Ｐｓが下限位置であるよどみ点Ｐ２に達したとしても、図３（ｃ）に示すように、よどみ点Ｐ２は熱伝達率のピークＨ２と一致するか、または、近傍の位置にある。このように、本実施形態によると、飛行条件(迎角)が変化すると、よどみ点の位置が変化するため、液滴衝突量のピークも移動するが、常に上下いずれかの吹付点の近傍となる。そのため、吹付点近傍の熱伝達率が高い領域で効率的に水分を蒸発させることができ、防氷に必要なブリードエアの量を削減できるとともに、過熱も抑止できる。
【００２９】
次に、図３（ｂ）のように、よどみ点Ｐｓ、つまり液滴衝突量が最大となる位置が、熱伝達率の二つのピークＨ１，Ｈ２の中間、つまり熱伝達率の谷の位置にある場合を想定する。
液滴衝突量が最大となる条件では、より多くのブリードエアが必要となるため、過熱が起こりやすくなる。しかし、液滴衝突量のピーク位置（よどみ点)を熱伝達率の谷の位置とすれば、図４に示すように、液滴の大部分は加熱量の少ない領域に衝突し、液滴の全量は蒸発することができないので、残った水分は主翼３の前縁５の表面に水膜ＷＦを形成する。この水膜ＷＦは、下流に向けて移動して熱伝達率のピークＨ１，Ｈ２に達するので、蒸発ＳするとともにピークＨ１，Ｈ２に基づく過熱を防止することができる。
【００３０】
また、防氷装置１０は、複数の噴出孔１６をピッコロチューブ１１に二列に配置するとともに、よどみ点Ｐｓとの関係でその配置位置を特定するだけで足りるので、特許文献１のような複雑な内部構造を用いなくとも、均一な加熱を実現できるため、装置の軽量化が実現できる。また、内部構造が単純であり、例えば特許文献１で採用される二重壁による加熱の熱損失を防止することができるため、供給するブリードエアの量を削減でき、エンジンの燃費が向上する。さらに、特許文献２のように外表面に突起物を設ける必要がないため、空気抵抗の増大がなく、燃費を悪化させることもない。
【００３１】
以上、本発明を好ましい実施形態に基づいて説明したが、本発明の主旨を逸脱しない限り、上記実施形態で挙げた構成を取捨選択したり、他の構成に適宜変更したりすることが可能である。
例えば、上述した実施形態は、ピッコロチューブ１１の円周方向においては、噴出孔１６が同じ位相に配置されているが、本発明はこれに限定されない、例えば、図５（ａ）に示すように、複数の噴出孔１６を千鳥配列にすることができる。このように噴出孔１６を千鳥配列にすることにより、加熱ムラを抑えることができる。加熱ムラを抑えるために、図５（ｂ）に示すように、噴出孔１６を三列に設けることもできる。
【００３２】
また、上述した実施形態では、開口形状が円形の噴出孔１６を二列に設けることにより、よどみ点Ｐ１及びよどみ点Ｐ２に高い熱伝達率を及ぼしているが、本発明はこれに限定されない。例えば、図５（ｃ）に示すように、開口形状が周方向に沿って伸びる噴出孔２６として設けることができる。この噴出孔２６は、上端開口部から下端開口部に向けて上下方向に延びるスリットからなり、上端開口部からブリードエアを上限位置のよどみ点Ｐ１に向けて噴出し、下端開口部からブリードエアを下限位置のよどみ点Ｐ２向けて噴出する。この噴出孔２６から噴出されるブリードエアによる円周方向の熱伝達率は、ピークＨ１，Ｈ２のようなピークを有しないが、よどみ点Ｐ１及びよどみ点Ｐ２に所定の熱伝達率を及ぼすことができる。
【００３３】
また、上述した実施形態では、一本のピッコロチューブ１１に噴出孔１６を二列に設けているが、本発明はこれに限定されない。例えば、図５（ｄ）に示すように、噴出孔１６が一列に設けられているピッコロチューブ１１を二本配置してもよい。
【符号の説明】
【００３４】
１      航空機
３      主翼
４      翼パネル
５      前縁
６      内面
７      外面
１０    防氷装置
１１    ピッコロチューブ
１２    上流管
１３    中流管
１４    下流管
１５    流路
１６    噴出孔
１８    エンジン
１９    エア供給管
２６    噴出孔
Ｄ      液滴
【図１】
2017140965.tif 000003
【図２】
2017140965.tif 000004
【図３】
2017140965.tif 000005
【図４】
2017140965.tif 000006
【図５】
2017140965.tif 000007
【図６】
2017140965.tif 000008